(57)【要約】【課題】収納ケース内１０の貯蔵物の視認性を向上できる冷蔵庫を提供する。【解決手段】前面に開口部を有する貯蔵室５と、貯蔵物５を収納するとともに前後にスライド自在に支持される収納ケース１０と、前記収納ケース１０内を照明する照明装置３０と、を備えた冷蔵庫１であって、前記照明装置３０は前記貯蔵室５の上壁に配されるとともに、前記収納ケース１０の引出量に応じて出射方向の鉛直に対する傾斜角度θを可変する。【選択図】図２
2012255598.tif 000002
【特許請求の範囲】
【請求項１】
前面に開口部を有する貯蔵室と、貯蔵物を収納するとともに前後にスライド自在に支持される収納ケースと、前記収納ケース内を照明する照明装置と、を備えた冷蔵庫であって、
前記照明装置は前記貯蔵室の上壁に配されるとともに、前記収納ケースの引出量に応じて出射方向の鉛直に対する傾斜角度を可変することを特徴とする冷蔵庫。
【請求項２】
前記引出量が大きい時に小さい時よりも前記傾斜角度が大きいことを特徴とする請求項１に記載の冷蔵庫。
【請求項３】
前記照明装置は前記上壁の前端部に配されていることを特徴とする請求項１又は２に記載の冷蔵庫。
【請求項４】
前記出射方向が前記収納ケースの上面における前端と前記照明装置の直下との中点を通ることを特徴とする請求項３に記載の冷蔵庫。
【請求項５】
前記照明装置を回転駆動するモータと、前記引出量を検出する引出量検出部と、を備え、前記引出量検出部の検出結果に応じて前記モータの回転量を可変することを特徴とする請求項１〜４のいずれかに記載の冷蔵庫。
【請求項６】
前記照明装置から左右方向に延びる回動軸と、前記回動軸の端部に設けられるとともに前記収納ケースに当接する当接部材とを備え、前記収納ケースのスライドに応じて前記当接部材を介して前記照明装置が回動することを特徴とする請求項１〜請求項４のいずれかに記載の照明装置。
【請求項７】
前記収納ケースが側壁の上面に傾斜面を含む段差部を有するとともに、前記当接部材が前記回動軸と前記段差部との距離に応じて前記回動軸からの距離を可変した周面を有し、前記周面が前記段差部に摺動して前記当接部材が回動することを特徴とする請求項６に記載の照明装置。
【発明の詳細な説明】
【技術分野】
【０００１】
本発明は、照明装置を備えた冷蔵庫に関する。
【背景技術】
【０００２】
従来の冷蔵庫は扉により前面が開閉される複数の貯蔵室を備えている。貯蔵室の種類としては冷蔵保存する冷蔵室、冷凍保存する冷凍室、冷蔵室よりも高い温度で冷蔵保存する野菜室が備えられる。そして、野菜室には前後にスライドして扉と一体的に出し入れされる収納ケースが設けられ、この収納ケース内に貯蔵物として野菜などを収納する。
【０００３】
特許文献１及び２に記載された冷蔵庫は引き出し式の収納ケースが野菜室の内部に設けられている。野菜室の上部には照明装置が配される。収納ケースを引き出すと、照明装置によって収納ケース内が照明され、貯蔵部を視認できるようになっている。
【先行技術文献】
【特許文献】
【０００４】
【特許文献１】特開２００２−２６７３４８号公報
【特許文献２】特開２００６−１３２８７７号公報
【発明の概要】
【発明が解決しようとする課題】
【０００５】
しかし、特許文献１及び２の冷蔵庫によると、暗い室内で収納ケースを大きく引き出すと、照明装置によって野菜室内が照明されているため収納ケース内の貯蔵物の視認性が悪くなるという問題があった。
【０００６】
本発明は、収納ケース内の貯蔵物の視認性を向上する冷蔵庫を提供することを目的とする。
【課題を解決するための手段】
【０００７】
上記目的を達成するために本発明は、前面に開口部を有する貯蔵室と、貯蔵物を収納するとともに前後にスライド自在に支持される収納ケースと、前記収納ケース内を照明する照明装置と、を備えた冷蔵庫であって、前記照明装置は前記貯蔵室の上壁に配されるとともに、前記収納ケースの引出量に応じて出射方向の鉛直に対する傾斜角度を可変することを特徴とする。
【０００８】
この構成によると、貯蔵物を収納した収納ケースは前後にスライド移動する。照明装置は貯蔵室の上壁に配されて収納ケース内を照明している。そして、冷蔵庫を使用するユーザが収納ケースを前後方向へスライドすれば、収納ケースの引出量に応じて照明装置の出射方向の鉛直に対する傾斜角度が可変される。
【０００９】
また本発明は、前記引出量が大きい時に小さい時よりも前記傾斜角度が大きいことを特徴とする。この構成によると、ユーザが収納ケースを前方へスライドすると、照明装置の傾斜角度が大きくなる。
【００１０】
また本発明は、前記照明装置は前記上壁の前端部に配されていることを特徴とする。また本発明は、前記照明装置の出射方向が前記収納ケースの上面における前端と前記照明装置の直下との中点を通ることを特徴とする。
【００１１】
また本発明は、前記照明装置を回転駆動するモータと、前記引出量を検出する引出量検出部と、を備え、前記引出量検出部の検出結果に応じて前記モータの回転量を可変することを特徴とする。
【００１２】
また本発明は、前記照明装置から左右方向に延びる回動軸と、前記回動軸の端部に設けられるとともに前記収納ケースに当接する当接部材とを備え、前記収納ケースのスライドに応じて前記当接部材を介して前記照明装置が回動することを特徴とする。
【００１３】
前記収納ケースが側壁の上面に傾斜面を含む段差部を有するとともに、前記当接部材が前記回動軸と前記段差部との距離に応じて前記回動軸からの距離を可変した周面を有し、前記周面が前記段差部に摺動して前記当接部材が回動することを特徴とする。
【発明の効果】
【００１４】
本発明によると、収納ケース内の貯蔵物を容易に把握できる冷蔵庫を提供することができる。
【図面の簡単な説明】
【００１５】
【図１】本発明の第１実施形態の冷蔵庫を示す側面断面図
【図２】本発明の第１実施形態の収納ケースと照明装置とを示す側面断面図
【図３】本発明の第１実施形態の照明装置を示す側面図
【図４】本発明の第１実施形態の収納ケースと照明装置とを示す側面断面図
【図５】本発明の第２実施形態の収納ケースと照明装置とを示す斜視図
【図６】本発明の第２実施形態の照明装置を示す斜視図
【図７】本発明の第２実施形態の収納ケースと照明装置とを示す斜視図
【図８】本発明の第２実施形態の収納ケースと照明装置とを示す斜視図
【図９】本発明の第２実施形態の収納ケースと照明装置とを示す斜視図
【発明を実施するための形態】
【００１６】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１７】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって冷蔵収納ケース８が扉４ｂとともに前後に円滑に出し入れされる。
【００１８】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部３６（図２参照）が設けられる。案内部３６によって収納ケース１０が扉５ｂとともに前後に円滑に出し入れされる。
【００１９】
図２は収納ケース１０を示す側面断面図である。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース（不図示）が載置されてもよい。
【００２０】
野菜室５の上壁を形成する断熱壁７の前端部４０には収納ケース１０内を照明する照明装置３０が設けられる。案内部３６の近傍には収納ケース１０の前後方向の引出量を検出する引出量検出部３５が設けられる。
【００２１】
図３は照明装置３０を示す側面図である。断熱壁７の前端部４０にはモータ３２が取り付けられる。モータ３２のモータ軸３１には照明光を出射するＬＥＤ３４を下面に配したアングル３３が取り付けられる。モータ３２の駆動によって矢印Ａに示すようにアングル３３がＬＥＤ３４とともに回転する。この時、引出量検出部３５の検知結果に応じてモータ３２の回転量が可変され、照明装置３０の出射方向Ｓ（図２参照）の鉛直に対する傾斜角度θ（図２参照）が可変される。
【００２２】
図４はユーザが収納ケース１０を前進させ、収納ケース１０引出量を大きくした状態示す側面断面図である。図２の収納ケース１０の引出量が小さい時と比べて、傾斜角度θが大きくなる。また、照明装置３０の出射方向Ｓが収納ケース１０の上面における前端１０gと照明装置３０の直下との中点Ｔを通る。これにより収納ケース１０内を適切に照明し、収納ケース内１０の貯蔵物を容易に把握できる。
【００２３】
また、ユーザが収納ケース１０を後方へスライド移動させると、引出量が小さくなるため傾斜角度θも小さくなる。
【００２４】
本実施形態によると、照明装置３０は野菜室５の上壁４０に配されるとともに、収納ケース１０の引出量に応じて出射方向Ｓの鉛直に対する傾斜角度θを可変する。これにより、暗い暗室でも収納ケース１０内の貯蔵物の視認性を向上することができる。
【００２５】
また、収納ケース１０の引出量が大きい時に小さい時よりも傾斜角度θが大きいために、収納ケース１０が前進するほどユーザに近い位置を照明する。これにより、収納ケース内１０内の貯蔵物の視認性を容易に向上できる。
【００２６】
また、照明装置３０は上壁４０の前端部に配されているため、前方に引き出した収納ケース１０内の貯蔵物をより明るく照明することができる。
【００２７】
また、照明装置３０の出射方向Ｓが収納ケース１０の上面における前端１０gと照明装置３０の直下との中点Ｔを通るために、収納ケース１０内の全体を明るく照明することができる。
【００２８】
また、照明装置３０を回転駆動するモータ３１と、引出量を検出する引出量検出部３５と、を備え、引出量検出部３５の検出結果に応じてモータ３１の回転量を可変する。これにより、照明装置３０の出射方向Ｓを容易に可変することができる。
【００２９】
（第２実施形態）
次に、図５は第２実施形態の冷蔵庫１の収納ケース１０及び照明装置３０を後方から見た斜視図を示している。また、図６は照明装置３０を前方から見た斜視図を示している。説明の便宜上、図１〜図４に示す第１実施形態と同様の部分には同一の符号を付している。
【００３０】
収納ケース１０の側壁の上面１０ａには下段部１０ｃ、傾斜部１０ｄ及び上段部１０ｅを有した段差部１０ｂが設けられる。下段部１０ｃは収納ケース１０の前部に設けられ、水平面に形成される。上段部１０ｅは収納ケース１０の後部に設けられ、下段部１０ｃよりも上方に配された水平面に形成される。傾斜部１０ｄは下段部１０ｃと上段部１０ｅとを連結する傾斜面に形成される。
【００３１】
照明装置３０は円柱状に形成され、周面にＬＥＤ３４が取り付けられる。断熱壁７（図１参照）の前端部４０の背後に設けられる支持部４０ａにより照明装置３０が回転自在に支持される。照明装置３０の両端面にはシャフト３１（回動軸）が左右方向に延びて設けられる。シャフト３１の両端部には収納ケース１０の上面１０ａに当接して摺動する当接部材３２が取り付けられる。また、当接部材３２と照明装置３０とはシャフト３１から径方向に離れた位置で連結部材３７により連結される。これにより、当接部材３２と照明装置３０とがシャフト３１を回動軸として一体に回動する。
【００３２】
当接部材３２の周面３２ａには第１平面部３２ｂ、曲面部３２ｃ、第２平面部３２ｄが形成される。シャフト３１と第１平面部３２ｂとの距離Ｄ１はシャフト３１と下段部１０ｃとの距離に等しくなっている。シャフト３１と第２平面部３２ｂとの距離Ｄ２はシャフト３１と上段部１０ｅとの距離に等しくなっている。曲面部３２ｃは第１平面部３２ｂと第２平面部３２ｄとの間を滑らかな曲面で連結する。これにより、当接部材３２は収納ケース１０の段差部１０ｂに当接する位置に応じて向きを可変するカムを形成する。
【００３３】
図７に示すように野菜室５の扉５ｂを開き始めた状態では当接部材３２の第１平面部３２ｂが収納ケース１０の下段部１０ｃに当接する。この時、照明装置３０の出射方向Ｓは傾斜角θが小さく、略下方に照明光が出射される。
【００３４】
図８に示すように、収納ケース１０を更に前方に引き出すと、傾斜部１０ｄによって段差部１０ｂとシャフト３１との距離が接近する。これにより、当接部材３２が回動して曲面部３２ｃが傾斜部１０ｄに摺動し、照明装置３０の出射方向Ｓの傾斜角θは大きくなる。
【００３５】
図９に示すように、収納ケース１０を更に前方に引き出すと、上段部１０ｅによって段差部１０ｂとシャフト３１との距離が更に接近する。これにより、当接部材３２が回動して第２平面部３２ｄが上段部１０ｅに摺動し、照明装置３０の出射方向Ｓの傾斜角θが更に大きくなる。
【００３６】
尚、当接部材３２の重心は自重によって第１平面部３２ｂが下方に面するように配される。このため、収納ケース１０を後方にスライドさせると、段差部１０ｂに沿って当接部材３２が自重により回動し、図９の状態から図８、図７の状態に移行する。
【００３７】
本実施形態によると、第１実施形態と同様に、収納ケース１０の引出量に応じて出射方向Ｓの鉛直に対する傾斜角度θを可変するので、暗い室内でも収納ケース１０内の貯蔵物の視認性を向上することができる。
【００３８】
また、照明装置３０から左右方向に延びるシャフト３１（回動軸）の端部に設けた当接部材３２が収納ケース１０に当接し、収納ケース１０のスライドに応じて当接部材３２を介して照明装置３０が回動する。これにより、照明装置３０の出射方向Ｓを容易に可変することができる。
【００３９】
また、当接部材３２がシャフト３１と段差部１０ｂとの距離に応じてシャフト３１からの距離を可変した周面３２ａを有し、周面３２ａが段差部１０ｂに摺動して当接部材３２が回動する。これにより、収納ケース１０のスライドによって容易に当接部材３２及び照明装置３０を回動させることができる。
【００４０】
本実施形態において、当接部材３２がカムにより形成されるが、シャフト３１に減速機を介して連結されるローラーやギヤにより形成してもよい。この時、前後にスライドする収納ケース１０の上面１０ａの段差部１０ｂをローラーが転動することや上面１０ｂにギヤが噛合することによって当接部材３２及び照明装置３０を回動させることができる。
【産業上の利用可能性】
【００４１】
本発明によると、スライド移動する収納ケースを備えた冷蔵庫に利用することができる。
【符号の説明】
【００４２】
１    冷蔵庫
３    冷蔵室
４    冷凍室
５    野菜室
１０  収納ケース
１０ａ  上面
１０ｂ  段差部
１０ｇ  前端
３０    照明装置
３１    回動軸
３２    当接部材
３２ａ  周面
３５    引出量検出部
Ｓ      出射方向
Ｔ      中点
θ      傾斜角度
【図１】
2012255598.tif 000003
【図２】
2012255598.tif 000004
【図３】
2012255598.tif 000005
【図４】
2012255598.tif 000006
【図５】
2012255598.tif 000007
【図６】
2012255598.tif 000008
【図７】
2012255598.tif 000009
【図８】
2012255598.tif 000010
【図９】
2012255598.tif 000011